(57)【特許請求の範囲】
【請求項１】
内填物としてのハンバーグを収容する内袋と、
この内袋を覆い当該内袋と接合される外袋と
を備え、
この内袋と外袋とが接合される部分の一部に、空気通路が形成され、この空気通路は、接合される部分の全体の長さに対して２０％〜６０％であり、この空気通路を通して内袋と外袋との間が大気と連通していることを特徴とする包装材。
【請求項２】
前記内袋が、少なくとも基層とヒートシール層とを有する二枚の積層体の縁部を熱融着して形成された三方袋である請求項１記載の包装材。
【請求項３】
前記内袋が、ピロー型袋である請求項１記載の包装材。
【請求項４】
前記内袋と前記外袋との接合部が、前記内袋及び外袋の縁部である請求項１〜３のいずれか１項に記載の包装材。
【請求項５】
前記空気通路は、前記内袋と前記外袋との接合部における部分的な未接合部である請求項１〜４のいずれか１項に記載の包装材。
【発明の詳細な説明】
【技術分野】
【０００１】
本発明は、食品固形物を真空充填した包装体を得るための包装材に関する。
【背景技術】
【０００２】
食品固形物のなかで、例えば冷凍ハンバーグは、包装材に固形物としてのハンバーグを収容した後、真空状態で包装材を封止して、すなわち真空包装して包装体とされる。この包装体は、その後に急冷により内填物である食品固形物としてのハンバーグが冷凍され、この冷凍状態で出荷されて流通過程を経て販売される。真空包装は、内填物の新鮮さを保持することができるために従来からよく利用されている包装形態である。しかし、このような真空包装された包装体を冷凍によりチルド包装とすると、真空包装時には包装内部が減容することにより内填物と包装材とが接当し、その状態で冷凍されるから、内填物が急激に冷却される結果、包装材の表面には結露が生じ、更には霜が大量に発生してしまう。また、チルド包装の製造時ばかりでなく、包装体の流通の過程で霜が付着することもある。
【０００３】
この包装体の表面に霜が付着すると、包装体の流通、販売の過程で、この包装体の包装材の表面に印刷で付された内容等の表示を視認することが困難となる。これでは包装材が具備する内容等の表示としての機能を十分には果たし得ないことになる。
【０００４】
透明性に優れ、また、料理に押圧力が加わった時に、料理を押し潰すことがないフィルムとすることができ、更に、冷凍時には霜が発生しない包装体に関して、調理済み食品を収容した、電子レンジ加熱が可能な容器が、密着状態で覆う透明な非透水性フィルムによって真空包装された包装体であって、この透明フィルムを、アイオノマー樹脂を含む積層フィルムとすることが開示されている（特許文献１）。
【先行技術文献】
【特許文献】
【０００５】
【特許文献１】特開２００６−３２７６５８号公報
【発明の概要】
【発明が解決しようとする課題】
【０００６】
しかしながら、上記のように包装材を構成するフィルムを特定の積層フィルムにしただけでは、急冷した真空包装体の霜の発生を十分には防止することはできなかった。
【０００７】
本発明は、上記の問題を有利に解決するものであり、真空包装体を得る場合において、チルド時の内填物の急激な冷却時や包装体の流通過程で、印刷がされた包装材の表面に霜が付着するのを抑制し、よって包装材の表面の印刷表示の視認性を確保することのできる包装材を提供することを目的とする。
【課題を解決するための手段】
【０００８】
上記の課題を有利に解決する、本発明の包装材は、内填物としてのハンバーグを収容する内袋と、この内袋を覆い当該内袋と接合される外袋とを備え、この内袋と外袋とが接合される部分の一部に、空気通路が形成され、この空気通路は、接合される部分の全体の長さに対して２０％〜６０％であり、この空気通路を通して内袋と外袋との間が大気と連通していることを特徴とする。
【０００９】
本発明の包装材においては、内袋に収容される内填物は、ハンバーグ又はこれに類似する冷凍食品又はチルド食品である。
また、内袋は、少なくとも基層とヒートシール層とを有する二枚の積層体の縁部を熱融着して形成された三方袋、又はピロー型袋とすることができる。
更に、この内袋と外袋との接合部が、内袋及び外袋の縁部であることが好ましい。
更に、空気通路は、前記内袋と前記外袋との接合部における部分的な未接合部であることが好ましい。
【発明の効果】
【００１０】
本発明の包装材によれば、内袋と外袋とからなる二重袋において内袋と外袋との接合部の一部に空気通路が形成されていて、内袋と外袋との間が大気と連通していることから、内填物の冷凍により内袋の表面が結露し、霜が発生していても、この霜が発生した内袋との表面と、印刷がされる外袋とは離隔されているので当該外袋には霜が発生付着しない。このため、包装材の表面の印刷表示の視認性を維持することができる。
【図面の簡単な説明】
【００１１】
【図１】本発明の一実施形態の包装材の斜視図である。
【図２】本発明の別の実施形態の包装材の斜視図である。
【図３】本発明の一実施形態の包装材の内袋を構成する積層体の模式的な断面図である。
【図４】本発明の一実施形態の包装材の接合部を説明する模式的な断面図である。
【発明を実施するための形態】
【００１２】
以下、本発明の包装材の一実施形態を、図面を用いて具体的に説明する。
【００１３】
図１に示す斜視図において、包装材１は、平面が矩形であり、内袋１１と外袋１２との二重袋である。この内袋１１内に、ハンバーグ等の内填物が収容される。外袋１２の表面には、内袋１１に収容される内填物の内容等の印刷表示が可能になっている。外袋１２は、内袋１１と同じ大きさで、内袋１１の縁部の三方で接合されている。この内袋１１と外袋１２との接合部１ｓの一部に、空気通路１ｐが形成されている。図示した例では包装材１の側縁部のそれぞれに複数個の空気通路１ｐが形成されている。この空気通路１ｐを通して内袋１１と外袋１２との間が空気と連通している。
【００１４】
上記のように内袋１１と外袋１２との接合部１ｓの一部に空気通路１ｐが形成されていることにより、内袋１１と外袋１２との間には、大気が連通している。これにより、内袋１１に収容され、真空包装された内填物の冷凍により内袋１１の表面が結露し、霜が発生していても、この霜が発生した内袋１１の表面と、印刷がされる外袋１２とは離隔されているので、外袋１２には霜が発生付着しない。このため、包装材１を構成する外袋１２の表面に付された印刷表示の視認性を維持することができる。
【００１５】
本実施形態の包装材１は、内袋１１に収容する内填物が、内袋１１に真空包装され、かつ、冷凍される内填物、特にハンバーグ用として特に効果が顕著である。
【００１６】
図１の包装材では、内袋１１は、二枚の積層体１１Ａ及び１１Ｂの縁部を熱融着して形成された三方袋である。内袋１１は、積層体１１Ａ、１１Ｂのフィルムの二枚をそれぞれの縁部で接合した三方袋とすることにより、ハンバーグ程度の大きさの食品の内填物を収容し得る包装材１を生産性よく製造することができる。もっとも、本発明の包装材は、三方袋に限定されるものではない。
【００１７】
積層体１１Ａ及び積層体１１Ｂは、いずれも基層１１ａとヒートシール層１１ｂとからなっている。積層体１１Ａ及び積層体１１Ｂがヒートシール層１１ｂを有することにより、熱融着によって積層体１１Ａ及び積層体１１Ｂを接合して内袋１１を製造することができるので、内袋１１の生産性がよい。これらの積層体１１Ａ、１１Ｂは、互いに対向する面がどちらもヒートシール層１１ｂであるように重ね合わされ、この重ね合わされた三辺の縁部を加熱押圧することにより熱融着させることで三方袋の内袋１１としている。
【００１８】
内袋の積層体１１Ａ及び積層体１１Ｂを構成する基層１１ａとヒートシール１１ｂの具体例は、例えば、〔ポリアミド系樹脂／ポリアミド系樹脂／ヒートシール性樹脂〕や、〔ポリエステル系樹脂／ポリアミド系樹脂／ヒートシール性樹脂〕の組み合わせ等のように、内填物と接触する側のフィルムがヒートシール性樹脂層で形成されていればよく、密封袋として形成することが可能であれば、構成は問わない。積層体１１Ａ及び積層体１１Ｂの厚さは、ハンバーグといった内填物を真空包装し、チルド包装するのに通常用いられている厚さを有していればよい。
【００１９】
また、基層１１ａとヒートシール層１１ｂとを、接着剤で接合することにより積層体とすることもできる。好ましく使用できる積層フィルムの代表的な構成例として、以下のような構成が挙げられる。もっとも、これらの構成に限定されるものではなく様々な組み合わせの積層フィルムを使用することができる。なお、下記において、上記において、ＯＮフィルムは、２軸延伸ナイロンフィルムを、ＯＰＰフィルムは２軸延伸ポリプロピレンフィルムを、ＰＥＴフィルムは２軸延伸ポリエチレンテレフタレートフィルムを、Ｌ・ＬＤＰＥは直鎖状低密度ポリエチレンを、ＨＤＰＥは高密度ポリエチレンを、ＬＤＰＥは低密度ポリエチレンを、ＣＰＰフィルムはキャスト（無延伸）ポリプロピレンフィルムを、また、ＥＶＯＨフィルムはエチレン−酢酸ビニル共重合体ケン化物フィルを、それぞれ指す。
【００２０】
（１）  ＯＮフィルム／接着剤／Ｌ・ＬＤＰＥフィルム（シーラント層）
（２）  ＯＮフィルム／接着剤／ＰＥＴフィルム／接着剤／Ｌ・ＬＤＰＥフィルム（シーラント層）
（３）  ＯＮフィルム／接着剤／ＰＥＴフィルム／接着剤／ＣＰＰフィルム（シーラント層）
（４）  ＯＮフィルム／接着剤／２軸延伸ＨＤＰＥフィルム／接着剤／Ｌ・ＬＤＰＥフィルム（シーラント層）
（５）  ＯＮフィルム／接着剤／ＯＰＰフィルム／接着剤／Ｌ・ＬＤＰＥフィルム（シーラント層）
（６）  ＯＮフィルム（シリカまたはアルミナ蒸着層）／接着剤／２軸延伸ＨＤＰＥフィルム／接着剤／Ｌ・ＬＤＰＥフィルム（シーラント層）
（７）  ＯＮフィルム／アンカーコート層／共押し出しコート層（ＨＤＰＥ）層／Ｌ・ＬＤＰＥ層）（シーラント層はＬ・ＬＤＰＥ層）
（８）  ＯＮフィルム／アンカーコート層／共押し出しコート層（ＨＤＰＥ層／ＬＤＰＥ層）／接着剤／Ｌ・ＬＤＰＥフィルム（シーラント層）
（９）  ＰＥＴフィルム／接着剤／Ｌ・ＬＤＰＥフィルム（シーラント層）
（１０）ＰＥＴフィルム／接着剤／ＯＮフィルム／接着剤／Ｌ・ＬＤＰＥフィルム（シーラント層）
（１１）ＰＥＴフィルム／接着剤／（シリカまたはアルミナ蒸着層）ＯＮフィルム／接着剤／Ｌ・ＬＤＰＥフィルム（シーラント層）
（１２）ＰＥＴフィルム／接着剤／ＯＮフィルム／接着剤／ＣＰＰフィルム（シーラント層）
（１３）ＰＥＴフィルム／接着剤／ＥＶＯＨフィルム／接着剤／ＯＮフィルム／接着剤／ＣＰＰフィルム（シーラント層）
【００２１】
なお、上記において、アンカーコートは、押し出しコーティングで樹脂を積層する際、接着性を向上させるために基材フィルム側に予めコーティングするものでプライマーコートの一種である。
【００２２】
また、上記において、シーラント層のＬ・ＬＤＰＥフィルム、ＣＰＰフィルムは、シングルサイト触媒を用いて重合したエチレン・α−オレフィン共重合体に置き換えることができる。これらのシーラント層は、上記のように、予め製膜したフィルムを接着剤を用いてドライラミネーション法などで貼り合わせるほか、押し出しコート法などで積層することもできる。
【００２３】
前記の積層フィルムの構成において、ＯＮフィルム、ＰＥＴフィルムは、最外層に用いる場合は、基材フィルムとして食品用袋に機械的強度や印刷適性を付与し、中間層に用いる場合は、主に機械的強度を補強するために用いられる。また、中間層に用いる２軸延伸ＨＤＰＥフィルム、ＯＰＰフィルムは、厚さを増し剛性を高めると同時に透湿度を向上させるために用いられる。上記２軸延伸ＨＤＰＥフィルム、ＯＰＰフィルムは、１軸延伸ＨＤＰＥフィルム、１軸延伸ＰＰフィルムとすることもでき、その場合、延伸方向が、袋の切り取り線の方向と一致するように積層することにより、引き裂きを容易にし、かつ、その方向性を安定化させることができる。ただし、袋の切り取り線が、袋の縦横、両方向にある時は、２軸延伸フィルムを用いることが好ましい。
【００２４】
そして、シリカまたはアルミナ蒸着層、ＥＶＯＨフィルムは、ガスバリヤー性を向上させるために積層するものであり、これらのほか、ポリアクリロニトリルフィルム、或いは、ポリ塩化ビニリデンの塗膜層などのガスバリヤー性材料を積層することもできる。
【００２５】
そして、シーラント層としては、Ｌ・ＬＤＰＥフィルム、ＣＰＰフィルム、シングルサイト触媒を用いて重合したエチレン・α−オレフィン共重合体の３種類の例を挙げたが、Ｌ・ＬＤＰＥフィルムは、ヒートシールの安定性や耐内容物性、耐ストレスクラッキング性などに優れており、ＣＰＰフィルムは、耐熱性、低臭性に優れている。また、メタロセン系触媒などシングルサイト触媒を用いて重合したエチレン・α−オレフィン共重合体は、分子量分布の幅が狭く、共重合比も安定しているため、低温ヒートシール性や、熱間シール性に優れると共に、特に低臭性に優れている。従って、包装する内容物（食品）の種類や使用条件に応じて、最適なものを選択して使用することにより、樹脂臭などで内容物の風味を損なうことがなく、安全で性能に優れた食品用袋を提供することができる。
【００２６】
シーラント層には上記のほか、高圧法ポリエチレンなど通常の低密度ポリエチレン、エチレン・酢酸ビニル共重合体、エチレン・アクリル酸共重合体、エチレン・アクリル酸エステル共重合体、アイオノマー、ポリエステル系樹脂なども適宜選択して使用することができる。
【００２７】
また、内袋の積層体１１Ａと積層体１１Ｂとは、層の構成が同一の積層体である例に限定されない。すなわち、積層体１１Ａと積層体１１Ｂとで、基層１１ａ及び／又はヒートシール層１１ｂが異なる種類のものであってもよい。
【００２８】
外袋１２は、内袋１２を覆って形成されている。この外袋は、二枚のフィルム１２Ａ、フィルム１２Ｂの縁部を内袋１１に接合して形成されている。これらのフィルム１２Ａ、１２Ｂは、例えばポリエステル系樹脂やポリアミド系樹脂とすることができる。これらのフィルムは、裏刷りによる印刷化粧加工が可能なフィルムとする。フィルム１２Ａ、フィルム１２Ｂは、それぞれ複数のフィルム層からなる積層体であってもよい。外袋１２の厚さは、特に限定されず、印刷表示用として通常用いられている厚さを有していればよい。
【００２９】
外袋１２のフィルム１２Ａ、フィルム１２Ｂは、内袋１１の積層体１１Ａ、１１Ｂの表面に重ねて、それらの縁部を接合することにより、外袋１２とされる。縁部の接合は、例えばドライラミネート接着剤で互いに接着することより実施することができる。このとき、内袋１１と外袋１２との接合部の接着を部分的に行うことにより、空気通路１ｐを容易に形成することができる。
【００３０】
包装材１を構成する積層体に用いられるヒートシール性樹脂は、熱によって溶融し相互に融着し得るものであればよく、例えば、熱可塑性樹脂として、低密度ポリエチレン、中密度ポリエチレン、高密度ポリエチレン、直鎖状（線状）低密度ポリエチレン、ポリプロピレン、エチレン−酢酸ビニル共重合体、アイオノマー樹脂、エチレン−アクリル酸エチル共重合体、エチレン−アクリル酸共重合体、エチレン−メタクリル酸共重合体、エチレン−プロピレン共重合体、メチルペンテンポリマー、ポリエチレン又はポリプロピレン等のポリオレフィン系樹脂をアクリル酸、メタクリル酸、無水マレイン酸、フマール酸、その他の不飽和カルボン酸で変性した酸変性ポリオレフィン系樹脂、その他の樹脂の１種又は２種以上からなる樹脂を、フィルム又はシートの形態で使用することができる。
【００３１】
内袋１１と外袋１２との接合部１ｓは、両者の縁部であることが好ましい。内袋１１が三方袋である場合には、内袋１１の熱融着部が三方の縁部であるため、この内袋１１の縁部で外袋１２と接合するのが合理的である。もっとも、内袋１１と外袋１２との接合部は、両者の縁部に限定されるものではない。
【００３２】
空気通路１ｐを接合部１ｓに形成するために、例えば、内袋１１と外袋１２との接合部１ｓにおいて、未接合部を部分的に形成することができる。接合時に未接合部を部分的に形成すれば、この未接合部が包装材１の空気通路１ｐとなる。この未接合部は、例えばドライラミネート接着剤を用いて内袋１１と外袋１２とを接着させる際に、このドライラミネート接着剤を内袋１１及び／又は外袋１２の縁部に、部分的に塗布する。そうすれば、接着剤を塗布しなかった部分では、内袋１１と外袋１２とが接着しないので、その部分が未接合部となる。
【００３３】
また、内袋１１と外袋１２とを、ヒートシール層を用いた熱融着により接合する場合には、内袋１１と外袋１２との接合部においてこのヒートシール層が形成されていない部分を部分的に形成することにより、空気通路１ｐを接合部１ｓに形成することができる。
【００３４】
空気通路１ｐは、内袋１１と外袋１２との間を大気と連通させることで外袋１２に形成された印刷表示への霜付着を防止していることを考えると、できるだけ接合部における空気通路１ｐの部分を大きくして、上述した大気との連通を良好な状態にすることが好ましい。したがって、内袋１１と外袋１２との接合強度等を勘案して、所定の割合、例えば接合部の全体の長さに対して２割（２０％）〜６割（６０％）の割合で接合部に形成すればよい。より好ましくは、４割（４０％）超である。
【００３５】
図２の斜視図を用いて本発明の包装材の別の実施形態を説明する。図２に示す包装材２は、ピロー型袋の例であり、内填物を収容する内袋２１と、文字、図形等の化粧加工を施したプラスチックフィルムによる外袋２２とを備えている。なお、内袋２１及び外袋２２は、それぞれ積層シートによって形成され得るが、図２では便宜上一枚のシートで示している。
【００３６】
そして、これらの内袋２１と外袋２２とは、それぞれの外辺部において接合されている。図に示した例では、包装材２の上部、底部、及び背部において、接合部としての上部シール部２ｓｔ、下部シール部２ｓｂ、背部シール部２ｓｃにおいて熱接着することにより、内袋２１と外袋２２とが互いに接着されると共に、さらに内袋２１の内部空間を密閉するようにしている。このような二重袋よりなる包装材２を用いて、ハンバーグのような内填物を充填した後、上部シール部２ｓｔを熱接着することにより包装体が得られる。
【００３７】
内袋２１及び外袋２２の材料としては、図１に示した包装材１に用いられる材料と同じ材料を用いることができる。
【００３８】
また、内袋２１と外袋２２のそれぞれの外辺部に形成されたシール部は、あらかじめ接着面にヒートシール層を形成しておくか、あるいは、ドライラミネート等で行われる。このヒートシール層には、前述したシーラント用樹脂層と同様に、低密度ポリエチレン、ポリプロピレン、エチレン−酢酸ビニル共重合体を利用できる。
【００３９】
本実施例では、背部シール部２ｓｃにおける内袋と外袋のそれぞれの外辺部の熱接着部に、数箇所の位置において部分的な未接合部を形成することにより、背部シール部２ｓｃの一部に、内袋２１と外袋２２との間の空間に対して空気の流通を確保するための複数の空気通路２ｐを形成している。空気流通路２ｐは、背部シール部２ｓｃの長さの２０％〜６０％程度、より好ましくは４０％超が空気通路２ｐとされていれば十分である。
【００４０】
空気流通路２ｐは、該空気通路２ｐに相当する部分に、内袋２１と外袋２２とを接着するヒートシール層を形成しないか、あるいは、ドライラミネート用の接着剤を配置しないようにするだけで良く、その結果、背部シール部２ｓｃには空気通路２ｐが形成される。
【００４１】
この、空気通路２ｐにより内袋２１と外袋２２との間には、大気が連通している。これにより、内袋２１に収容され、真空包装された内填物の冷凍により内袋２１の表面が結露し、霜が発生していても、この霜が発生した内袋２１の表面と、印刷がされる外袋２２とは離隔されているので、外袋２２には霜が発生付着しない。このため、包装材２を構成する外袋２２の表面に付された印刷表示の視認性を維持することができる。
【００４２】
次に、本発明の包装材を製造する方法を、図１に示した三方袋の例について説明する。
【００４３】
図３に本実施形態の包装材１の内袋１１を構成する積層体の模式的な断面図を示すように、内袋１１用の積層体１１Ａと、積層体１１Ｂとを用意する。これらの積層体は、包装材１をバッチ式に製造するための短片状のものに限られず、包装材１を連続式に製造するための長尺なものであってもよい。
【００４４】
これらの積層体１１Ａ及び積層体１１Ｂは、それらの基層１１ａとヒートシール層１１ｂとを重ねて、両者を接合することで得られる。この接合は、例えばドライラミネート接着剤ｂを用いることができる。
【００４５】
得られた積層体１１Ａと、積層体１１Ｂとを、それぞれのヒートシール１１ｂが対向するように重ね合わせる。重ね合わされた内袋１１用の積層体１１Ａ、積層体１１Ｂの積層体の縁部をヒータで加熱すると共にそれらの厚さ方向に押圧して熱融着させた後、この熱融着部分を冷却器で冷却して固化する。この熱融着を、重ね合わされた積層体の三辺の縁部で行うことにより、三方袋の内袋１１が得られる。熱融着のためのヒータ及び冷却器は、各積層体１１Ａ、１１Ｂがロールから巻き出された長尺物である場合には、それらの積層体の進行方向に平行な方向と、垂直な方向にそれぞれ設けられていて、これにより積層体の進行に従って多数の包装材を連続的に製造することができる。
【００４６】
内袋１１の作製とは別途に外袋１２用のフィルム１２Ａ、１２Ｂを用意する。フィルム１２Ａ及び／又は１２Ｂには、裏刷りによる化粧加工印刷が付されている。
【００４７】
これらのフィルム１２Ａ、１２Ｂを、内袋１１を構成する積層体１１Ａ、１１Ｂの表面にそれぞれ重ね合わせ、接合部１ｓを形成する。この接合部１ｓの模式的な断面を図４に示す。このフィルム１２Ａ、１２Ｂの接合には、ドライラミネート接着剤ｂを用いている。また、接合は、図１に示すように内袋１１の三方の縁部と外袋１２の三方の縁部と接合する。この接合の際に、ドライラミネート接着剤を包装材１の三方の縁部に形成された接合部１ｓにおいて、部分的に塗布しないようにする。これにより接合部１ｓに未接合部が形成される。この未接合部が空気通路１ｐとなる。
【００４８】
上述した未接合部を形成する方法は、内袋１１と外袋１２との接合にドライラミネート接着剤を用いる場合に限定されない。例えば、内袋１１と外袋１２との接合にヒートシール層を用いることもできる。この場合には、ヒートシール層を接合部で部分的に設けないことにより未接合部が形成されこの未接合部が空気通路１ｐとなる。
【実施例】
【００４９】
次に、実施例により本発明の包装材をより具体的に説明する。
【００５０】
（実施例１）
〔外袋用のフィルムの作製〕
裏刷りによる化粧加工印刷が付されている厚さ１２μｍの２軸延伸ポリエチレンテレ太レートフィルムを得た。
【００５１】
〔内袋用の作製〕
厚さ１５μｍのポリアミドフィルムに、更に厚さ７０μｍの低密度ポリエチレンフィルムをドライラミネート接着剤でラミネートして積層体を得た。これらの積層体の２枚を、互いのヒートシール層を内側にして積み重ね、熱融着により三方袋を得た。
【００５２】
〔二重袋である包装材の作製〕
得られた内袋用の積層体の縁部近傍にパンチ孔を形成した。次に、内袋用の二枚の積層体と、外袋用のフィルムとを重ね合わせた。このとき、外袋用のフィルムと内袋をドライラミネート接着剤で接着することにより接合する三方の縁部において、接着材を部分的に塗布しなかった。これにより内袋と外袋との間を大気と連通させる空気通路が形成された、二重袋の構成を有する包装材が得られた。
【００５３】
（比較例１）
比較例１は、一般的なチルド包装材であり、二重袋ではない例である。
【００５４】
裏刷りによる化粧加工印刷が付された厚さ１２μｍの２軸延伸ポリエチレンテレフタレートフィルムと、厚さ６０μｍの低密度ポリエチレンフィルムによるシーラント層とを有するフィルムとを、上記化粧加工印刷が付された面においてドライラミネート接着剤でラミネートすることで得られた２枚の積層体を各積層体のシーラント層を互いに内側にしてヒートシールすることにより、比較例１の三方体の包装材を得た。
【００５５】
（比較例２）
比較例２は、包装材が完全二重袋であり、接合部に空気通路を有しない例である。
【００５６】
裏刷りによる化粧加工印刷が付されている厚さ１２μｍの２軸延伸ポリエチレンテレフタレートフィルムと、低密度ポリエチレンフィルムによるシーラント層（厚さ６０μｍ）とを有するフィルムとを、上記化粧用印刷が付された面においてドライラミネート接着剤でラミネートすることで外袋用の積層体を得た。また、厚さ２５μｍの低密度ポリエチレンフィルムと厚さ１５μｍのポリアミドフィルムと厚さ４０μｍの低密度ポリエチレンフィルムとをドライラミネート接着剤でラミネートすることで内袋用の積層体を得た。この内袋用の積層体の二枚を、互いのヒートシール層が内側になるように重ね合わせた。重ね合わされた内袋用の積層体の外側に、外袋用の積層体の二枚を、互いのヒートシール層が内側になるように重ね合わせた後、ヒートシールして完全な二重密封袋を得た。この二重密封袋は、外袋用の積層体と内袋用の積層体との間で空気が連通することはなく、外袋積層体と内袋積層体との間には空気が常に介在することになる。
【００５７】
（比較例３）
比較例３は、比較例２の二重密封袋における外袋用の積層体に孔を形成することにより、外袋用の積層体と内袋用の積層体との間でわずかに空気が連通する以外は、比較例２と同様にした例である。
【００５８】
外側積層体に孔は、孔径が０．３ｍｍ、孔密度が６４個／ｃｍ２の条件で形成されていた。
【００５９】
（試験）
上記実施例１及び比較例１〜３の包装材を用いて、以下の試験を行った。
【００６０】
（１）外観変化試験
ハンバーグを真空充填し、ボイル処理後、マイナス３０℃の冷蔵庫にサンプルを１０個保存し、外観変化を観察した。
【００６１】
（２）落下強度試験
上記方法にて作製したレトルト処理包装体を、高さ１２０ｃｍからコンクリート面に、水平方向及び垂直方向に１回ずつ（計２回）落下させ、包装体の破損及び内容物の漏れの有無を確認した。
【００６２】
（３）突刺強度試験
上記方法にて作製したレトルト処理包装体から内容物を取り出し、積層体の表面から、直径１ｍｍφの針を２００ｍｍ／ｍｉｎの突刺速度で突刺して、針がフィルムを貫通するのに要した強度（Ｎ）を測定した。
【００６３】
以上の試験の結果を表１に示す。表１から明らかなように、実施例１の包装材は、比較例１〜３の包装材と比べてレトルト後の外観変化、落下強度及び突刺強度の全ての項目においてバランスよく優れた特性を示した。
【００６４】
【表１】
0005609323.tif 000002
【００６５】
以上、実施の形態及び実施例を用いて本発明の包装材を具体的に説明したが、本発明の包装材は、これらの実施形態及び実施例の記載に限定されることなく本発明の趣旨を逸脱しない範囲で幾多の変形が可能である。例えば、本発明において、包装材の形状は、包装材の生産性の観点からは平面が矩形又は正方形であることが好適であるが、形状は矩形又は正方形に限定されない。要は、内袋と外袋との接合部の一部に空気通路が形成されてなり、その内袋と外袋との間に大気と連通している包装材であって、真空包装および冷凍包装に適用可能でフィルムに印刷可能な包装材であれば、本発明の上記効果を有する。
【００６６】
また、実施形態では三方袋及びピロー型袋の包装材について説明したが、本発明はこれに限らず、ガセット型、スタンドパック型等の種々の密閉二重袋体に適用することが可能である。
【符号の説明】
【００６７】
１、２  包装材
１１、２１  内袋
１１ａ、１２ａ  基層
１１ｂ、１２ｂ  ヒートシール層
１２、２２  外袋
【図１】
0005609323.tif 000003
【図２】
0005609323.tif 000004
【図３】
0005609323.tif 000005
【図４】
0005609323.tif 000006